(57)【要約】【課題】簡単な構造にして、必要な際には何時でも迅速かつ確実に、建造物の出入口から浸入する水の流れを遮断できる防災用ゲートならびにゲート構造を提供する。【解決手段】ゲート本体１６ａ内に流体を供給してこれを起立させる際、起立促進シート１６ｂがゲート本体１６ａの側端面１７を底面側から上方へ向けて順に出入口１２ａの側壁１２ｂに沿って起立させるので、ゲート本体１６ａの側端面全体で出入口１２ａの側壁１２ｂを隙間なく押圧でき、建造物内へと浸入する水の流れを堰き止めることができる。【選択図】      図２
2005029968.tif 000002
【特許請求の範囲】
【請求項１】
建造物の出入口から浸入する水の流れを堰き止める防災用ゲートであって、
可撓性材料からなり、前記出入口を横断するように前記出入口の底面に水密的に固定され且つ内部に流体を供給することによって起立し、その側端面が前記出入口の側壁を押圧する密閉袋状のゲート本体と、
前記ゲート本体を構成する可撓性材料よりも弾性回復力が高い材料からなり、前記ゲート本体の側端面に添着されてゲート本体の起立を促進させる起立促進シートとを備える、防災用ゲート。
【請求項２】
前記ゲート本体の幅は上方に向かって前記出入口幅より適宜大になる様に構成されていることを特徴とする請求項１記載の防災用ゲート。
【請求項３】
建造物の出入口を横断するように設けられた凹溝、
可撓性材料からなり、前記凹溝に収納可能に且つ水密的に固定され、内部に流体を供給することによって起立し、その側端面が前記出入口の側壁を押圧する密閉袋状のゲート本体と、前記ゲート本体を構成する可撓性材料よりも弾性回復力が高い材料からなり、前記ゲート本体の側端面に添着されてゲート本体の起立を促進させる起立促進シートとで構成されている防災用ゲート、
一端が前記凹溝の屋外側上端部に水密的に配置され、前記凹溝に収容した防災用ゲートの上面を覆うとともに、他端が凹溝の屋内側下端部に設けた側溝に達する保護シート、および
一端が前記凹溝の屋内側上端部にてヒンジを介して回動可能に取着され、前記凹溝の上面を覆う蓋体を備える、防災用ゲート構造。
【発明の詳細な説明】
【０００１】
【発明の属する技術分野】
本発明は、豪雨時等に建造物の出入口から流水が浸入するのを堰き止めるための防災用ゲートとそのゲート構造に関するものである。
【０００２】
【従来の技術】
近年、台風や集中豪雨などで河川や用水路が氾濫し、地下駐車場、地下街などの地下施設やビル等（以下、「建造物」という）にその出入口から多量の水が浸入することによって、これら建造物の内部が浸水被害に遭うといった事例が増えている。このような浸水被害を防止するためには、水の浸入経路を遮断する措置をとることが望まれる。
【０００３】
そこで、従来では、土嚢、可搬式の防水堤等を用いて、建造物出入口からの水の流入を防止する対策が行われていた。
【０００４】
しかし、土嚢や可搬式の防水堤では、人力によるため設置や撤去に時間がかかり、緊急の事態に対応できず、設置や撤去に際して施設内外への人や車の往来を長時間規制しなければならないという問題があった。
【０００５】
これらの問題を解決し得る技術として、図６に示すように、可撓性膜（１）の内部に流体を供給してこれを膨張・起立させ、一時的に水の流れを遮断する通水路（２）用のゲート（３）（例えば、特許文献１参照。）を建造物の出入口に設置する技術や、図７に示すように、地盤に回動可能に設置された剛性板（４）と、内部に流体を封入可能な可撓性部材（５）とからなり、可撓性部材（５）の内部に流体を給排することによって剛性板（４）を起伏させる可撓性膜起伏ゲート（６）（例えば、特許文献２参照。）などが知られている。
【０００６】
可撓性膜（１）や可撓性部材（５）に流体を給排してゲート（３）（６）を起伏するこれらの技術では、少ない人手で迅速にゲート（３）（６）を起伏することができる。
【０００７】
しかしながら、前者の技術では、建造物出入口側壁の浸水を防ぎたい所定の高さにまで可撓性膜（１）を固定しなければならず、特に側壁の壁厚が薄い場合などには可撓性膜（１）の設置が困難となり、また、ゲート（３）を使用しない平常時には、出入口の左右側壁に固定された可撓性膜（１）が往来の邪魔になるばかりでなく、通行者の目障りになるという問題があった。そこで、出入口側壁における可撓性膜（１）の固定を止めると、起立時に可撓性膜（１）が側壁を隙間なく水密的に押圧することができず、止水性能が低下するようになるという問題があった。
【０００８】
一方、後者の技術では、ゲート（６）を設置した出入口側壁の壁面に凹凸がある場合、剛性板（４）と壁面との間に隙間が生じることから止水性能が低下するようになり、また、このゲート（６）を駐車場の様な幅広の場所に設置した場合、剛性板（４）が長尺化するとともにその重量が増加するため、可撓性部材（５）を膨張させて剛性板を起立させる際に時間がかかるようになるという問題があった。
【０００９】
さらに、両者とも、緊急時にのみ使用するものであることから、ゴムなどの可撓性材料で構成された可撓性膜（１）および可撓性部材（５）は、常時倒伏して折り畳まれた状態で待機している。このため、油，エアロゾル等を含む雨水や砂利などが折り畳まれた可撓性膜（１）および可撓性部材（５）の隙間に溜まり、この雨水や砂利などが可撓性膜（１）および可撓性部材（５）の表面を劣化させたり傷付けたりするようになる。そして、緊急時にゲート（３）（６）を起立させると、この劣化したり傷付けられた部分にピンホールが発生し、可撓性膜（１）および可撓性部材（５）の内部から空気が漏れるようになるという問題があった。
【００１０】
【特許文献１】
登録実用新案第３０８６６５７号公報（第４−１０頁、第６図）
【特許文献２】
特開２００１−２０２６１号公報（第２−４頁、第１図）
【００１１】
【発明が解決しようとする課題】
それゆえ、本発明の主たる課題は、簡単な構造にして、必要な際には何時でも迅速かつ確実に、建造物の出入口から浸入する水の流れを遮断できる防災用ゲートならびにゲート構造を提供することである。
【００１２】
【課題を解決するための手段】
請求項１に記載した発明は、「建造物（１２）の出入口（１２ａ）から浸入する水の流れを堰き止める防災用ゲート（１６）であって、可撓性材料からなり、出入口（１２ａ）を横断するように出入口（１２ａ）の底面に水密的に固定され且つ内部に流体を供給することによって起立し、その側端面（１７）が出入口（１２ａ）の側壁（１２ｂ）を押圧する密閉袋状のゲート本体（１６ａ）と、ゲート本体（１６ａ）を構成する可撓性材料よりも弾性回復力が高い材料からなり、ゲート本体（１６ａ）の側端面（１７）に添着されてゲート本体（１６ａ）の起立を促進させる起立促進シート（１６ｂ）とを備える」ことを特徴とするものである。
【００１３】
この発明では、ゲート本体（１６ａ）内に流体を供給すると、ゲート本体（１６ａ）は徐々に膨張して起立を始める。このとき、ゲート本体（１６ａ）の側端面（１７）に添着した起立促進シート（１６ｂ）も同時に立ち上がるが、この起立促進シート（１６ｂ）は、ゲート本体（１６ａ）よりも弾性回復力が高いので、ゲート本体（１６ａ）より先に起立しようとする。すると、起立促進シート（１６ｂ）が添着されているゲート本体（１６ａ）の側端面（１７）は、起立促進シート（１６ｂ）の弾性回復力に引っ張られるので、底面側から上方へ向けて順に出入口（１２ａ）の側壁（１２ｂ）に沿ってきれいに立ち上がる格好となる。そして、ゲート本体（１６ａ）内に流体が充満することによって防災用ゲート（１６）の起立が完了する。このとき、ゲート本体（１６ａ）の側端面（１７）全体が出入口（１２ａ）の側壁（１２ｂ）を隙間なく押圧しているので、建造物（１２）内へと浸入する水の流れを堰き止めることができる。
【００１４】
請求項２に記載した発明は、請求項１に記載の発明において、「ゲート本体（１６ａ）の幅は上方に向かって出入口（１２ａ）幅より適宜大になる様に構成されている」ことを特徴とするもので、これにより、ゲート本体（１６ａ）に流体を充満してこれを起立させた際に、ゲート本体（１６ａ）の側端面（１７）が出入口（１２ａ）の側壁（１２ｂ）を広い面積にて隙間なく十分に押圧するので、ゲート本体（１６ａ）の側端面（１７）を出入口（１２ａ）の側壁（１２ｂ）に固定せずとも、また、側壁（１２ｂ）の壁面に凹凸がある場合であっても防災用ゲート（１６）が設置された建造物（１２）の出入口（１２ａ）側面から屋内に水が浸入するのを防止することができる。
【００１５】
請求項３に記載した発明は、「建造物（１２）の出入口（１２ａ）を横断するように設けられた凹溝（１４）、可撓性材料からなり、凹溝（１４）に収納可能に且つ水密的に固定され、内部に流体を供給することによって起立し、その側端面（１７）が出入口（１２ａ）の側壁（１２ｂ）を押圧する密閉袋状のゲート本体（１６ａ）と、ゲート本体（１６ａ）を構成する可撓性材料よりも弾性回復力が高い材料からなり、ゲート本体（１６ａ）の側端面（１７）に添着されてゲート本体（１６ａ）の起立を促進させる起立促進シート（１６ｂ）とで構成されている防災用ゲート（１６）、一端が凹溝（１４）の屋外側上端部に水密的に配置され、凹溝（１４）に収容した防災用ゲート（１６）の上面を覆うとともに、他端が凹溝（１４）の屋内側下端部に設けた側溝（１４ｃ）に達する保護シート（１８）、および一端が凹溝（１４）の屋内側上端部にてヒンジ（２８）を介して回動可能に取着され、凹溝（１４）の上面を覆う蓋体（２０）を備える」防災用ゲート構造（１０）である。
【００１６】
この発明では、防災用ゲート（１６）を凹溝（１４）内に収容した平常時に、防災用ゲート（１６）の上面を保護シート（１８）で覆うようにしているので、油，エアロゾルなどを含んだ雨水や砂利などが凹溝（１４）内に進入したとしても、これらが防災用ゲート（１６）と直接接触することなく側溝（１４ｃ）へと案内される。このため、防災用ゲート（１６）がこれら雨水や砂利などによって劣化・破損するのを防止することができる。また、平常時には凹溝（１４）の上面に蓋体（２０）が取付けられているので、人や車が通行するのに凹溝（１４）が邪魔にならないようになっている。
【００１７】
そして、凹溝（１４）の上面を覆う蓋体（２０）は、その屋内側端部がヒンジ（２８）を介して凹溝（１４）の屋内側上端部に取着されているので、緊急時に、凹溝（１４）内に収納されている防災用ゲート（１６）を一気に膨張・起立させても、防災用ゲート（１６）に押し上げられた蓋体（２０）が飛散することはない。したがって、防災用ゲート（１６）の起立させた際に、蓋体（２０）が飛散してゲート構造（１０）周辺の人や物を傷つける心配はない。
【００１８】
【発明の実施の形態】
以下、本発明に係る実施例を図面を参照しつつ説明する。この発明の一実施例（図１〜３）の防災用ゲート構造（１０）は、建造物（１２）の出入口（１２ａ）から流水が浸入するのを堰き止めるためのものであり、凹溝（１４）、防災用ゲート（１６）、保護シート（１８）および蓋体（２０）などで構成されている。
【００１９】
凹溝（１４）は、底面（１４ａ）に防災用ゲート（１６）が水密的に固定されるとともに、平常時には防災用ゲート（１６）を収容するためのものであり、建造物（１２）の出入口（１２ａ）を横断するように形成されている。また、凹溝（１４）の底面（１４ａ）における屋内側端部つまり凹溝（１４）の屋内側下端部には、凹溝（１４）内に進入した雨水や粉塵などを排出するための排出路（１４ｂ）を有する側溝（１４ｃ）が設けられる。
【００２０】
防災用ゲート（１６）は、ゲート本体（１６ａ）および起立促進シート（１６ｂ）などで構成されている。
【００２１】
ゲート本体（１６ａ）は、流体が供給されることにより膨張し、かつ、流体が抜かれることにより収縮するもので、ゴムシート、軟質合成樹脂シートおよびナイロンやポリエステル等の有機繊維の織布にゴムを被覆して成るゴム引布などの耐候性を有する可撓性材料により形成されている。なお、本実施例では、ゲート本体（１６ａ）の材料として０．５ｍｍ乃至５ｍｍ厚のゴム引布を使用している。
【００２２】
このゲート本体（１６ａ）は、密閉袋状に形成されており、図２および３で示されるように、膨張時にはその形状が略筒状となる。
【００２３】
また、このゲート本体（１６ａ）の下辺部は、図１にある様に建築物（１２）の出入口（１２ａ）の幅に応じて構成された凹溝（１４）と略同等の幅を有しており、フラットバー（２２ａ）と取付ボルト（２２ｂ）からなる固定部材（２２）によって凹溝（１４）の底面（１４ａ）に水密的に固定されている。
【００２４】
そして、ゲート本体（１６ａ）の幅は、上方へ行くに従って凹溝（１４）の幅より幾分長くなるように形成されており（図１参照）、膨張時にゲート本体（１６ａ）の側端面（１７）が出入口（１２ａ）側壁（１２ｂ）の壁面を広い面積にて隙間なく十分に押圧するようになっている。
【００２５】
また、ゲート本体（１６ａ）の側端面（１７）には、内部に流体を供給もしくは排出する（すなわち流体を給排する）ための給排口（２４）が設けられており、この給排口（２４）には、配管（３０）を介してゲート本体（１６ａ）内に流体を給排する給排ポンプ又はボンベなどの流体給排装置（図示せず）が接続されている。
【００２６】
さらに、ゲート本体（１６ａ）の内部には、この給排口（２４）と連通するようにして、ゲート本体（１６ａ）の内部全体に均一に流体を給排するための多穴パイプ部材（２６）が取り付けられる。
【００２７】
起立促進シート（１６ｂ）は、ゲート本体（１６ａ）の側端面（１７）に添着させてゲート本体（１６ａ）の起立を促進させるためのものであり、硬質ゴムや厚手の軟質ゴム，合成樹脂シートなどゲート本体（１６ａ）を構成する可撓性材料よりも弾性回復力の高い材料からなる帯状の部材である。なお、本実施例では、起立促進シート（１６ｂ）の材料として５ｍｍ厚の硬質ゴムシートを使用しているが、起立促進シート（１６ｂ）の弾性回復力が満足できるものでない場合には、弾性回復力の高いピアノ線等を起立促進シート（１６ｂ）内に挿し込むようにしてもよい。
【００２８】
この起立促進シート（１６ｂ）は、その表面がゲート本体（１６ａ）の下辺部から左右両側端面（１７）に亘って接着剤などによって貼着されており、ゲート本体（１６ａ）の両側端面（１７）に貼着された起立促進シート（１６ｂ）の長さは、ゲート本体（１６ａ）膨張時の高さとほぼ等しくなるようにしている。また、起立促進シート（１６ｂ）の幅は、防災用ゲート（１６）を取付ける凹溝（１４）の底面（１４ａ）の奥行きよりも短く形成されている。これは弾性回復力が大きな起立促進シート（１６ｂ）の幅が凹溝（１４）の底面（１４ａ）の奥行きよりも大きいと、防水用ゲート（１６）を凹溝（１４）に収納する際に、防水用ゲート（１６）が上手く凹溝（１４）内に収まらなくなるからである。
【００２９】
保護シート（１８）は、凹溝（１４）内に収容した防災用ゲート（１６）の隙間に雨水や砂利などが溜まり、防災用ゲート（１６）を劣化させたり傷付けたりするのを防止するためのものであり、防水性および日光，排気ガス等に対する耐久性を有するゴム，合成樹脂もしくは金属などで構成された可撓性の強靱なシート部材である。
【００３０】
この保護シート（１８）は、接着剤や取付ボルトなどの固定手段によって、その一端が凹溝（１４）の屋外側上端部に沿って水密的に固定され、かつ、凹溝（１４）に収容した防災用ゲート（１６）の上面を覆うとともに、他端が凹溝（１４）の屋内側下端部に延設された側溝（１４ｃ）に達している。このため、凹溝（１４）内に進入した雨水や砂利などは保護シート（１８）上を流れて防災用ゲート（１６）に直接接触することなく側溝（１４ｃ）から排出路（１４ｂ）を経由して排出されるようになり、防災用ゲート（１６）を雨水や砂利などから保護することができる。
【００３１】
蓋体（２０）は、グレーチングボードや孔開き鉄板などの軽量な金属製の板材からなり、浸水の問題がない平常時には凹溝（１４）の上面を覆い、人や車の通行に支障が生じないようにするためのものである。
【００３２】
この蓋体（２０）の一端は、ヒンジ（２８）を介して凹溝（１４）の屋内側上端部に取着されており、このヒンジ（２８）を支点として蓋体（２０）が回動できるようになっている。
【００３３】
次に、本発明の一実施例の防災用ゲート（１６）を建造物（１２）の出入口（１２ａ）の底面に水密的に固定して、防災用ゲート構造（１０）を構成する際には、まず、出入口（１２ａ）を横断するようにして形成された溝（１４）の底面（１４ａ）に、起立促進シート（１６ｂ）が貼着されたゲート本体（１６ａ）の下辺部を位置決めし、この起立促進シート（１６ｂ）とゲート本体（１６ａ）の下辺部とをフラットバー（２２ａ）で押さえながら、これら全てを取付ボルト（２２ｂ）で凹溝（１４）の底面（１４ａ）に水密的に固定する。また、ゲート本体（１６ａ）の左右両側端面（１７）に貼着されている起立促進シート（１６ｂ）の下端部を接着剤などで凹溝（１４）の側壁に固定する。なお、固定部材（２２）でゲート本体（１６ａ）の下辺部および起立促進シート（１６ｂ）を凹溝（１４）の底面（１４ａ）に固定する際、固定部分やその周辺をゴム引布などの養生シートで養生するようにしてもよい。
【００３４】
続いて、接着剤や取付ボルトなどの固定手段を用いて凹溝（１４）の屋外側上端部に保護シート（１８）の一端を水密的に取着するとともに、凹溝（１４）の屋内側上端部にヒンジ（２８）を取り付け、このヒンジ（２８）に蓋体（２０）の一端を固定する。
【００３５】
そして、ゲート本体（１６ａ）の側端面（１７）に設けられた給排口（２４）に配管（３０）の一端を接続するとともに、この配管（３０）の他端に図示しない流体給排装置を接続することにより防災用のゲート構造（１０）が完成する。
【００３６】
上述の通り構成された防災用ゲート構造（１０）は、浸水被害の心配が無い平常時には、図４および図５に示すように、凹溝（１４）の底面（１４ａ）に固定された防災用ゲート（１６）を折り畳んで凹溝（１４）内に収納するとともに（図４参照）、折り畳んだ防災用ゲート（１６）の上面を保護シート（１８）で覆い、凹溝（１４）の屋内側上端部にヒンジ（２８）を介して取付けられた蓋体（２０）を回動させて、この蓋体（２０）で凹溝（１４）の上面を覆う（図５参照）。このようにすると、防災用ゲート（１６）が凹溝（１４）内に完全に収納されるため、防災用ゲート構造（１０）を常設しても人や車の往来が妨げられる心配はない。
【００３７】
また、防災用ゲート（１６）の上面が保護シート（１８）で覆われているので、凹溝（１４）内に進入した雨水や砂利などは保護シート（１８）上を流れて防災用ゲート（１６）に直接接触することなく側溝（１４ｃ）から排出路（１４ｂ）を経由して排出されるようになり、かつ、直射日光なども当たらないため、防災用ゲート（１６）を雨水や砂利、直射日光などから保護し劣化や損傷を防止することができる。
【００３８】
防災用ゲート構造（１０）の防災用ゲート（１６）を起立させる、すなわち防災用ゲート（１６）を閉じる際には、図示しない流体給排装置から配管（３０）および給排口（２４）を介してゲート本体（１６ａ）内に流体を供給する。すると、ゲート本体（１６ａ）は徐々に膨張して起立を始め、同時にゲート本体（１６ａ）の側端面（１７）に添着した起立促進シート（１６ｂ）も立ち上がる。この起立促進シート（１６ｂ）は、ゲート本体（１６ａ）よりも弾性回復力が高く、ゲート本体（１６ａ）より先に起立しようとするので、起立促進シート（１６ｂ）が添着されているゲート本体（１６ａ）の側端面（１７）は、起立促進シート（１６ｂ）の弾性回復力に引っ張られる格好で底面側から上方へ向けて順に出入口（１２ａ）の側壁（１２ｂ）に沿ってきれいに立ち上がる。このため、ゲート本体（１６ａ）の側端面（１７）全体が出入口（１２ａ）の側壁（１２ｂ）を隙間なく押圧するようになり、建造物（１２）内へと浸入する水の流れを堰き止めることができる。
【００３９】
また、これと同時に、防災用ゲート（１６）の上面を覆っていた保護シート（１８）と凹溝（１４）の上面を覆っていた蓋体（２０）とが防災用ゲート（１６）に押し上げられ、蓋体（２０）がヒンジ（２８）を介して回動し凹溝（１４）の上面が開放される。このように、蓋体（２０）がヒンジ（２８）を介して凹溝（１４）の屋内側上端部に取着されているので、緊急時に凹溝（１４）内に収納されている防災用ゲート（１６）を一気に起立させたとしても、蓋体（２０）が飛散して防災用ゲート構造（１０）周辺の人や車或いは建造物などに危害をおよぼすことは無い。
【００４０】
そして、ゲート本体（１６ａ）内に流体が充満すると、防災用ゲート（１６）の起立が完了する（図３参照）。この動作においては、防災用ゲート（１６）が、出入口（１２ａ）の内面から中央部に向けて膨張されるため、防災用ゲート（１６）の上に土砂等が堆積していたとしても問題なく出入口（１２ａ）を遮断することができる。
【００４１】
また、本実施例のゲート本体（１６ａ）では、下辺部から上辺部に向かってその長さが出入口（１２ａ）幅より適宜大になる様に構成されているので、ゲート本体（１６ａ）に流体を供給してこれを起立させた際に、ゲート本体（１６ａ）の側端面（１７）が出入口（１２ａ）の側壁（１２ｂ）を広い面積にて隙間なく十分に押圧するようになる。したがって、ゲート本体（１６ａ）の側端面（１７）を出入口（１２ａ）の側壁（１２ｂ）に固定せずとも、また、側壁（１２ｂ）の壁面に凹凸がある場合であっても防災用ゲート（１６）が設置された建造物（１２）の出入口（１２ａ）側面から屋内に水が浸入するのを防止することができる。
【００４２】
一方、防災用ゲート（１６）を倒伏させる、すなわち防災用ゲート（１６）を開放する際には、まず、図示しない流体給排装置を用いてゲート本体（１６ａ）内に充填した流体を給排口（２４）から排出し、内部の流体が抜かれた防災用ゲート（１６）を折り畳んで凹溝（１４）内に収納する。そして、折り畳んだ防災用ゲート（１６）の上面を保護シート（１８）で覆った後、蓋体（２０）を回動させて凹溝（１４）の上面をこの蓋体（２０）で覆う。
【００４３】
この実施例の防災用ゲート構造（１０）によれば、出入口（１２ａ）内面に防災用ゲート（１６）を取り付けるだけの簡単な構成であるため、安価に設置することができる。
【００４４】
また、平常時において、防災用ゲート（１６）は、凹溝（１４）の内面に収容されるとともに、凹溝（１４）には蓋体（２０）が取り付けられるので、人や車の往来が妨げられる心配はない。
【００４５】
さらに、防災用のゲート構造（１０）が、建造物（１２）の出入口（１２ａ）に常設されているので、必要な際には、ゲート本体（１６ａ）内に流体を供給するだけで、防災用ゲート（１６）を直ちに膨張・起立させて出入口（１２ａ）から建造物内に浸入する水の流れを即座に堰き止めることができる。
【００４６】
なお、上述の実施例では、ゲート本体（１６ａ）の側端面（１７）に給排口（２４）を設け、この一つの給排口（２４）を介してゲート本体（１６ａ）内に流体を給排する例を示したが、ゲート本体（１６ａ）内に流体を供給する供給口とゲート本体（１６ａ）内に充填した流体を排出する排出口とをそれぞれ別個に設けるようにしてもよい。
【００４７】
また、起立促進シート（１６ｂ）をゲート本体（１６ａ）の下辺部から左右両側端面（１７）に亘って貼着する例を示したが、防災用ゲート（１６）を起立させる際に、起立促進シート（１６ｂ）がその弾性回復力でゲート本体（１６ａ）の側端面（１７）を底面側から上方へ向けて順に出入口（１２ａ）の側壁（１２ｂ）に沿って起立させることができるのであれば、これらの添着態様はいかなるものであってもよく、例えば、起立促進シート（１６ｂ）の表面全体をゲート本体（１６ａ）の左右両方の側端面（１７）のみに貼着するようにしてもよい。また、起立促進シート（１６ｂ）をゲート本体（１６ａ）の左右両方の側端面（１７）のいずれか一方のみに添着するようにしてもよい。
【００４８】
また、保護シート（１８）に関し、その一端を凹溝（１４）の屋外側上端部に沿って水密的に固定する例を示したが、この保護シート（１８）は、その一端を蓋体（２０）の屋外側端部に沿って固定するようにしてもよい。これにより、平常時に凹溝（１４）内に防災用ゲート（１６）を収納し蓋体（２０）を閉じると、上述の実施例と同様に保護シート（１８）の一端が凹溝（１４）の屋外側上端部に水密的に配置されるようになるので、凹溝（１４）内に進入した雨水や砂利などは保護シート（１８）上を流れて防災用ゲート（１６）に直接接触することなく側溝（１４ｃ）へ排出されるようになり、防災用ゲート（１６）を雨水や砂利などから保護することができる。
【００４９】
そして、溝（１４）を覆う蓋体（２０）が金属板で形成された例を示したが、蓋体（２０）は、人や車の往来を妨げず、かつ、人や車が通行できる十分な強度を有し、必要な際には防災用ゲートによって押し上げることができる重量のものであればよく、たとえば繊維強化プラスチック製のものでもよいし、鉄筋コンクリート製のものでもよい。
【００５０】
【発明の効果】
請求項１に記載した発明によれば、ゲート本体を起立させる際、ゲート本体の側端面が底面側から上方へ向けて順に出入口の側壁に沿ってきれいに立ち上がるので、ゲート本体の側端面全体で出入口の側壁を隙間なく押圧でき、建造物内へと浸入する水の流れを堰き止めることができる。
【００５１】
請求項２に記載した発明によれば、ゲート本体の側端面が出入口の側壁を広い面積にて隙間なく十分に押圧するようになるので、ゲート本体の側端面を出入口の側壁に固定せずとも、また、側壁の壁面に凹凸がある場合であっても防災用ゲートが設置された建造物の出入口側面から屋内に水が浸入するのを防止することができる。
【００５２】
請求項３に記載した発明によれば、建造物の出入口底面にゲート本体を取り付けるだけの簡単な構成であるため、コストを大幅に低減できる。また、平常時には、防災用ゲートが凹溝の内面に収納されるとともに、凹溝には蓋体が取り付けられるので、人や車の往来が妨げられる心配はない。さらに、この蓋体は、ヒンジを介して凹溝の屋内側上端部に取着されているので、防災用ゲートを一気に起立させたとしても、蓋体が飛散して周辺の人や物を傷つける心配はない。そして、凹溝に収容した防災用ゲートの上面を保護シートで覆っているので、防災用ゲートが土砂や粉塵や雨水などによって劣化するのを防止することができる。
【００５３】
したがって、簡単な構造にして、必要な際には何時でも迅速かつ確実に、建造物の出入口から浸入する水の流れを遮断できる防災用ゲートならびにゲート構造を提供することができる。
【図面の簡単な説明】
【図１】本発明の一実施例の防災用ゲート構造（ゲート起立時）を示す正面図である。
【図２】本発明の一実施例の防災用ゲート構造（ゲート起立時）を示す側面図である。
【図３】本発明の一実施例の防災用ゲート構造（ゲート起立時）を示す断面図である。
【図４】本発明の一実施例の防災用ゲート構造（ゲート倒伏時）を示す上面図である。
【図５】本発明の一実施例の防災用ゲート構造（ゲート倒伏時）を示す断面図である。
【図６】従来の技術（通水路用ゲート）を示す概略図である。
【図７】従来の技術（可撓性膜起伏ゲート）を示す概略図である。
【符号の説明】
（１０）…防災用ゲート構造
（１２）…建造物
（１２ａ）…出入口
（１２ｂ）…側壁
（１４）…凹溝
（１４ｃ）…側溝
（１６）…防災ゲート
（１６ａ）…ゲート本体
（１６ｂ）…起立促進シート
（１７）…（ゲート本体の）側端面
（１８）…保護シート
（２０）…蓋体
（２４）…給排口
（２８）…ヒンジ
（３０）…配管
【図１】
2005029968.tif 000003
【図２】
2005029968.tif 000004
【図３】
2005029968.tif 000005
【図４】
2005029968.tif 000006
【図５】
2005029968.tif 000007
【図６】
2005029968.tif 000008
【図７】
2005029968.tif 000009